(57)【要約】  複数の画像ファイルの画像を一括してリサイズすることを可能とし、それにより、操作についてユーザーの利便性を向上させる画像処理装置を提供する。  画像処理装置は、複数組のリサイズ条件のうちの１組を、ユーザーの指示に基づいて設定する制御部と、設定された１組のリサイズ条件にしたがって、複数の画像の各々に対してリサイズ処理を行う画像処理部とを備えている。複数組のリサイズ条件の各々には、複数種類の画像の縦横比の各々に対して、リサイズ処理後の画像のサイズが規定されており、画像処理部は、リサイズ処理の対象である各画像の縦横比に基づいて、１組のリサイズ条件に規定されたリサイズ処理後の画像のサイズを特定し、特定したサイズに基づいてリサイズ処理を行う。
2009087962.tif 000002
【特許請求の範囲】
【請求項１】
複数組のリサイズ条件のうちの１組を、ユーザーの指示に基づいて設定する制御部と、
設定された前記１組のリサイズ条件にしたがって、複数の画像の各々に対してリサイズ処理を行う画像処理部と
を備えた画像処理装置であって、
前記複数組のリサイズ条件の各々には、複数種類の画像の縦横比の各々に対して、リサイズ処理後の画像のサイズが規定されており、
前記画像処理部は、リサイズ処理の対象である各画像の縦横比に基づいて、前記１組のリサイズ条件に規定されたリサイズ処理後の画像のサイズを特定し、特定した前記サイズに基づいて前記リサイズ処理を行う、画像処理装置。
【請求項２】
前記リサイズ処理の対象である各画像の画像データには、各画像の縦横比を特定可能な縦横比情報が含まれており、
前記画像処理部は、前記縦横比情報に基づいて各画像の縦横比を特定し、前記１組のリサイズ条件に規定されたリサイズ処理後の画像のサイズを特定する、請求項１に記載の画像処理装置。
【請求項３】
前記複数組のリサイズ条件の各々は、互いに、複数種類の画像の縦横比の各々に対応するリサイズ処理後の画像のサイズの組み合わせ方が異なる、請求項１に記載の画像処理装置。
【請求項４】
画像を表示する表示装置と、
ユーザーによる、前記表示装置に表示された画像を指定する操作を受け付ける操作部と
をさらに備え、
前記画像処理部は、前記操作部で指定された画像を、前記リサイズ処理の対象となる画像として特定する、請求項１に記載の画像処理装置。
【請求項５】
前記リサイズ処理の対象となり得る画像の画像データには、それぞれサムネイル画像のデータが含まれており、
サムネイル画像を表示する表示装置と、
ユーザーによる、前記表示装置に表示されたサムネイル画像を指定する操作を受け付ける操作部と
をさらに備え、
前記画像処理部は、前記操作部で指定されたサムネイル画像に対応する画像を、前記リサイズ処理の対象となる画像として特定する、請求項１に記載の画像処理装置。
【請求項６】
前記ユーザーによる操作を受け付ける操作部と、
前記複数の画像の各画像データを少なくとも１つのフォルダに格納した記憶部とをさらに備え、
前記画像処理部は、前記操作部で受け付けられた操作によって予め指示されたフォルダに格納された各画像データの画像に対して、リサイズ処理を行う、請求項１に記載の画像処理装置。
【請求項７】
前記ユーザーによる操作を受け付ける操作部と、
前記複数の画像の各画像データを格納した記憶部とをさらに備え、
各画像の画像データには、前記各画像の撮影時の条件を示す撮影条件情報が含まれており、
前記画像処理部は、前記操作部で受け付けられた操作によって予め特定された撮影条件情報に合致する各画像データの画像に対して、リサイズ処理を行う、請求項１に記載の画像処理装置。
【請求項８】
前記ユーザーによる操作を受け付ける操作部をさらに備え、
前記画像処理部は、前記操作部で受け付けられた操作によって予め特定された撮影期間に合致する各画像データの画像に対して、リサイズ処理を行う、請求項１に記載の画像処理装置。
【請求項９】
前記記憶部は、着脱可能な記録媒体を含む、請求項６に記載の画像処理装置。
【請求項１０】
前記記憶部は、着脱可能な記録媒体を含む、請求項７に記載の画像処理装置。
【発明の詳細な説明】
【技術分野】
【０００１】
本発明は、デジタルカメラ等によって撮影された画像のリサイズ処理に関する。
【背景技術】
【０００２】
近年、急速に普及しているデジタルカメラは、高画質化・高画素化が進むとともに、ユーザーにおける使い勝手を向上させる様々な機能が提案されている。【０００３】
使い勝手を向上させる機能の一つとして画像のリサイズ機能がある。これは、デジタルカメラで撮影した画像のサイズを撮影後の任意の時点で変更することができる機能である。例えば、３メガ（「メガ」は１００万。単に「Ｍ」とも記述される。）ピクセルのサイズで撮影した画像のファイルを電子メールに添付するために、デジタルカメラの操作で３００キロ（「キロ」は１０００。単に「Ｋ」とも記述される。）ピクセルの画像のファイルにリサイズすることで、その画像ファイルをパーソナルコンピュータの画像編集ソフト等でリサイズする手間を省くことができる。【０００４】
特許文献１の画像処理装置は、撮像して生成された画像データを処理して完成画像を作成する。この完成画像に基づいて、制御部は被写体の顔エリアを抽出し、顔エリアのサイズに応じた縮小処理を完成画像の画像データに施して画像記録部に出力する。
【特許文献１】特開２００６−３１８２６０号公報
【発明の開示】
【発明が解決しようとする課題】
【０００５】
しかしながら、特許文献１に開示された画像処理装置は被写体の顔エリアのサイズに応じた縮小処理が可能であるが、複数の画像ファイルを一括してリサイズすることができるとの記載はない。このように、単数の画像しかリサイズできない場合、複数の画像に対してはリサイズ操作を繰り返す必要があり、煩雑な操作を強いられる。【０００６】
本発明は、上記課題を解決すべくなされたものであり、その目的は、複数の画像ファイルの画像を一括してリサイズすることを可能とし、それにより、操作についてユーザーの利便性を向上させることにある。
【課題を解決するための手段】
【０００７】
本発明による画像処理装置は、複数組のリサイズ条件のうちの１組を、ユーザーの指示に基づいて設定する制御部と、設定された前記１組のリサイズ条件にしたがって、複数の画像の各々に対してリサイズ処理を行う画像処理部とを備えた画像処理装置であって、前記複数組のリサイズ条件の各々には、複数種類の画像の縦横比の各々に対して、リサイズ処理後の画像のサイズが規定されており、前記画像処理部は、リサイズ処理の対象である各画像の縦横比に基づいて、前記１組のリサイズ条件に規定されたリサイズ処理後の画像のサイズを特定し、特定した前記サイズに基づいて前記リサイズ処理を行う。【０００８】
前記リサイズ処理の対象である各画像の画像データには、各画像の縦横比を特定可能な縦横比情報が含まれており、前記画像処理部は、前記縦横比情報に基づいて各画像の縦横比を特定し、前記１組のリサイズ条件に規定されたリサイズ処理後の画像のサイズを特定してもよい。【０００９】
前記複数組のリサイズ条件の各々は、互いに、複数種類の画像の縦横比の各々に対応するリサイズ処理後の画像のサイズの組み合わせ方が異なっていてもよい。【００１０】
前記画像処理装置は、画像を表示する表示装置と、ユーザーによる、前記表示装置に表示された画像を指定する操作を受け付ける操作部とをさらに備え、前記画像処理部は、前記操作部で指定された画像を、前記リサイズ処理の対象となる画像として特定してもよい。【００１１】
前記リサイズ処理の対象となり得る画像の画像データには、それぞれサムネイル画像のデータが含まれており、前記画像処理装置は、サムネイル画像を表示する表示装置と、ユーザーによる、前記表示装置に表示されたサムネイル画像を指定する操作を受け付ける操作部とをさらに備え、前記画像処理部は、前記操作部で指定されたサムネイル画像に対応する画像を、前記リサイズ処理の対象となる画像として特定してもよい。【００１２】
前記画像処理装置は、前記ユーザーによる操作を受け付ける操作部と、前記複数の画像の各画像データを少なくとも１つのフォルダに格納した記憶部とをさらに備え、前記画像処理部は、前記操作部で受け付けられた操作によって予め指示されたフォルダに格納された各画像データの画像に対して、リサイズ処理を行ってもよい。【００１３】
前記画像処理装置は、前記ユーザーによる操作を受け付ける操作部と、前記複数の画像の各画像データを格納した記憶部とをさらに備え、各画像の画像データには、前記各画像の撮影時の条件を示す撮影条件情報が含まれており、前記画像処理部は、前記操作部で受け付けられた操作によって予め特定された撮影条件情報に合致する各画像データの画像に対して、リサイズ処理を行ってもよい。【００１４】
前記画像処理装置は、前記ユーザーによる操作を受け付ける操作部をさらに備え、前記画像処理部は、前記操作部で受け付けられた操作によって予め特定された撮影期間に合致する各画像データの画像に対して、リサイズ処理を行ってもよい。【００１５】
前記記憶部は、着脱可能な記録媒体を含んでいてもよい。
【発明の効果】
【００１６】
本発明によれば、選択し記憶された縦横比と大きさの異なる複数の画像ファイルを一括してリサイズすることができるので、画像をリサイズする際の操作についてユーザーの利便性を向上させることができる。
【図面の簡単な説明】
【００１７】
【図１】本発明に係る画像処理装置の一例であるデジタルカメラの構成を示す。
【図２】モードダイアル１２０の上面図である。
【図３】画像の各縦横比において選択可能な画像の縦のピクセル数、画像の横のピクセル数を示す図である。
【図４】本実施形態によるデジタルカメラ１００のブロック図である。
【図５】信号処理回路４０のハードウェア構成の一例を示す。
【図６】Ｅｘｉｆフォーマットに準拠した画像ファイル５０の構成を示す概念図である。
【図７】メモリカード５ｂのフォルダ構成を示す概念図である。
【図８】リサイズ処理の動作を説明するフローチャートである。
【図９】メニュー項目を選択する操作画面を示す図である。
【図１０】処理枚数を選択する操作画面を示す図である。
【図１１】プリセットを選択する操作画面を示す図である。
【図１２】リサイズ処理対象画像を設定する操作画面を示す図である。
【図１３】画像を１枚設定する（図８のＳ１５）処理の詳細を示すフローチャートである。
【図１４】リサイズ処理ができないという警告が表示された画面例である。
【図１５】リサイズ処理後に元の画像を削除するかどうかを選択する操作画面例である。
【図１６】（ａ）は、縦横比に応じたリサイズ処理、および、用途に応じたリサイズ処理を選択可能な画面表示例を示す図であり、（ｂ）は縦横比に応じたリサイズ処理を選択したときに表示される画面例を示す図であり、（ｃ）は用途に応じたリサイズ処理を選択したときに表示される画面例を示す図である。
【符号の説明】
【００１８】
１  レンズ
２  ＣＣＤ
３  ＡＤ変換器
４  画像処理部
５  記憶部５
５ａ  入出力部
５ｂ  メモリカード
６  操作部
７  制御部
４０  信号処理回路
１５０  ＬＣＤ
【発明を実施するための最良の形態】
【００１９】
以下、添付の図面を参照しながら、本発明の実施形態を説明する。【００２０】
まず、実施形態の説明で言及する用語の意味は以下のとおりとする。【００２１】
サイズ：画像データのデータ量（データサイズ）や、画像の横のピクセル数および縦のピクセル数によって定まる表示領域の大きさ（表示サイズ）を含む。実施形態では「サイズ」は「データサイズ」を意味するとして説明する。表示サイズを意味する場合には、たとえば「画像のサイズ」や「表示サイズ」などと表現する。【００２２】
なお、一般には、画像の横のピクセル数および／または縦のピクセル数（表示サイズ）が変化すれば、それに伴ってデータサイズも変化する。よって、データサイズと表示サイズとの間には密接に関係がある。「サイズ」がデータサイズを意味するものとして取り扱うのは便宜的なものであることに留意されたい。【００２３】
画像の縦横比：画像の横のピクセル数と縦のピクセル数との比をいう。たとえば縦横比４：３とは、画像の横のピクセル数：縦のピクセル数＝４：３であることを意味する。【００２４】
以下、本発明の実施形態による画像処理装置を説明する。【００２５】
本実施形態においては、画像処理装置はデジタルカメラであるとする。以下、デジタルカメラの構成を説明する。なお、デジタルカメラは一例である。後に、画像処理装置の他の構成例を説明する。【００２６】
１．構成
１−１．外観の構成
図１は、本発明に係る画像処理装置の一例であるデジタルカメラの構成を示す。より具体的には、図１はデジタルカメラの背面を示している。【００２７】
デジタルカメラ１００の背面には、電源スイッチ１２２、メニューボタン１２４、十字キー１２５ａ、１２５ｂ、１２５ｃ、１２５ｄ、液晶表示装置（Ｌｉｑｕｉｄ  Ｃｒｙｓｔａｌ  Ｄｉｓｐｌａｙ；ＬＣＤ）１５０が設けられている。また、デジタルカメラ１００の上面には、モードダイアル１２０、シャッターボタン１２１が設けられている。【００２８】
図２は、モードダイアル１２０の上面図である。モーダイアル１２０の上面には、撮影モードとシーンモードを示す複数のアイコン１２０ａ〜１２０ｌが表示されている。ユーザーは、モードダイアル１２０を回転させることで所望の撮影モードまたはシーンモードを選択することができる。図２の例では、アイコン１２０ａに対応するモードが選択されている。【００２９】
モードダイアル１２０の上面のアイコン１２０ａ〜１２０ｌがどのようなモードであるかを概略的に説明する。【００３０】
アイコン１２０ａは全自動モードを示し、アイコン１２０ｂはプログラムモードを示し、アイコン１２０ｃは絞り優先モードを示し、アイコン１２０ｄはシャッター速度優先モードを示し、アイコン１２０ｅはマニュアルモードを示している。アイコン１２０ｆはユーザーが好みの設定を保存できるカスタムモードを示している。アイコン１２０ｇは、後述の「各シーンモード以外の撮影モード」をＬＣＤ１５０に表示し、メニューボタン１２４、十字キー１２５ａ、１２５ｂ、１２５ｃおよび／または１２５ｄにて選択可能とするシーンモードを示している。そして、アイコン１２０ｈは夜景・人物モード、アイコン１２０ｉはスポーツモード、アイコン１２０ｊは接写撮影を可能とするマクロモード、アイコン１２０ｋは風景撮影のための風景モード、アイコン１２０ｌは人物撮影のためのポートレートモードを示す。【００３１】
本実施形態によるデジタルカメラ１００は、上述した「各シーンモード以外の撮影モード」として、全自動モード、プログラムモード、絞り優先モード、シャッター速度優先モード、マニュアルモード、カスタムモードを有する。また、シーンモードとして、モードダイアル１２０から直接選択可能な夜景・人物モード、スポーツモード、マクロモード、風景モード、ポートレートモードの他に、モードダイアル１２０のシーンモードアイコン１２０ｇを選択することによって、さらにその後、ＬＣＤ１５０に表示されメニューボタン１２４、十字キー１２５ａ、１２５ｂ、１２５ｃ、１２５ｄにて選択可能となる赤ちゃんモード、パーティモードなどのシーンモードを有する。【００３２】
電源スイッチ１２２をＯＮ側にスライドすると、デジタルカメラ１００の電源が投入される。モードダイアル１２０を回転させて、所望の撮影モードまたはシーンモードを選択する。ＬＣＤ１５０に被写体が表示されるので、これを観察しながら構図を決定する。シャッターボタン１２１を押下すると、被写体の画像が画像ファイルとして記録される。【００３３】
画像ファイルのヘッダには、撮影日時、モードダイアル１２０で選択された撮影モードまたはシーンモード、画像の横のピクセル数、画像の縦のピクセル数が記載される。詳細は、後に図６を参照しながら説明する。【００３４】
ユーザーがメニューボタン１２４を押下することで、ＬＣＤ１５０に操作画面が表示される。この操作画面において、ユーザーは、撮影する画像の縦横比と画像の横のピクセル数、画像の縦のピクセル数を、メニューボタン１２４、十字キー１２５ａ、１２５ｂ、１２５ｃ、１２５ｄを操作することにより、選択することができる。本発明に係る画像処理装置の一例であるデジタルカメラ１００では、画像の縦横比として、４：３、３：２，１６：９のいずれか一つを選択することができる。【００３５】
図３は、画像の各縦横比において選択可能な画像の縦のピクセル数、画像の横のピクセル数を示す図である。図３（ａ）は画像の縦横比が４：３のときに選択可能な画像のサイズと画像の縦のピクセル数、画像の横のピクセル数を示す。図３（ｂ）は画像の縦横比が３：２のときに選択可能な画像のサイズと画像の縦のピクセル数、画像の横のピクセル数を示す。図３（ｃ）は画像の縦横比が１６：９のときに選択可能な画像のサイズと画像の縦のピクセル数、画像の横のピクセル数を示す。例えば、画像の縦横比が４：３のときに、サイズ１０Ｍで撮影された画像の横のピクセル数は３６４８であり、縦のピクセル数は２７３６である。なお、サイズ１０Ｍとは、撮影された画像の総ピクセル数が約１０００００００ピクセルとなることを示している。上記の例では、３６４８×２７３６＝９９８０９２８（ピクセル）となる。【００３６】
１−２．ブロック構成
図４は、本実施形態によるデジタルカメラ１００のブロック図である。【００３７】
デジタルカメラ１００は、撮像光学系１と、ＣＣＤ２と、Ａ／Ｄ変換器３と、信号処理回路４０と、ＬＣＤ１５０とを有している。【００３８】
撮像光学系１は、被写体の光学像を形成する。ＣＣＤ２は、撮像光学系１で形成された光学像を電気信号に変換する。Ａ／Ｄ変換器３は、ＣＣＤ２で変換された電気信号（アナログ信号）をデジタル信号に変換する。【００３９】
信号処理回路４０は、Ａ／Ｄ変換器３からのデジタル信号を受け取り、また、デジタルカメラ１００に設けられたボタンやキーを介してユーザーからの指示を受け取る。そして、その指示に基づいて、デジタル信号を処理する。たとえば信号処理回路４０は、画像のデジタル信号を処理して、処理によって得られた画像データを画像ファイルとしてメモリカード５ｂに書き込む。【００４０】
ＬＣＤ１５０は、信号処理回路４０で生成された画像データに基づく画像を表示し、また、操作メニューや選択された項目などを表示する。【００４１】
信号処理回路４０は、画像処理部４と、入出力部５ａと、操作部６と、制御部７とを備えている。【００４２】
画像処理部４は、Ａ／Ｄ変換器３で変換されたデジタル信号に対して所定の信号処理を行い画像データを生成する。【００４３】
入出力部５ａは、たとえば画像処理部４で生成された画像データをメモリカード５ｂに書き込む。また、入出力部５ａは、メモリカード５ｂから画像データを読み出すことも可能である。なお、メモリカード５ｂはデジタルカメラ１００から着脱可能であり、デジタルカメラ１００自体の構成要素でなくてもよい。ただし本明細書においては、入出力部５ａおよびメモリカード５ｂを「記憶部５」と呼ぶこともある。記憶部５は、画像処理部４で生成された画像データを記憶する。【００４４】
操作部６は、デジタルカメラ１００に与えられる指示をユーザーから受け取る。操作部６は、図１に示したデジタルカメラ１００の背面図において、メニューボタン１２４、十字キー１２５ａ、１２５ｂ、１２５ｃ、１２５ｄに対応する。【００４５】
制御部７は、操作部６から与えられた指示にしたがって画像処理部４を制御する。【００４６】
なお、Ａ／Ｄ変換器３は、ＣＣＤ２で変換された電気信号（アナログ信号）に所定の信号処理を行うＡＦＥ（Ａｎａｌｏｇ  Ｆｌｏｎｔ  Ｅｎｄ）ＬＳＩ（図示せず）内に組み込まれていてもよい。または、信号処理回路４０に組み込まれてもよい。【００４７】
画像処理部４と制御部７は、単一のＬＳＩで構成してもよい。【００４８】
信号処理回路４０を一般的なコンピュータシステムによって実現することも可能である。【００４９】
たとえば図５は、信号処理回路４０のハードウェア構成の一例を示す。【００５０】
信号処理回路４０は、ＣＰＵ４１と、ＲＡＭ４２と、ＲＯＭ４３と、１または複数のボタン／キー６と、画像処理回路４５と、メモリカードコントローラ５ａとを有している。これらは互いにバス４６で接続されており、相互に情報を授受できる。【００５１】
ＣＰＵ４１は、ＲＯＭ４３に格納されているコンピュータプログラム４６をＲＡＭ４２に読み出し、ＲＡＭ４２上に展開して実行する。信号処理回路４０のみならずデジタルカメラ１００は、このコンピュータプログラム４６にしたがって、後述の処理を行う。なお、ＲＯＭ４３は書き換え可能なＲＯＭ（たとえばＥＥＰＲＯＭ）であってもよい。コンピュータプログラム４６は、ＣＰＵ４１に実行されることにより、たとえば後述の図８および１３に示される処理手順でＣＰＵ４１を動作させる。【００５２】
画像処理回路４５は、ＬＣＤ１５０上に表示される画像のデータを生成する。なお、メモリカードコントローラ５ａは、先の入出力部５ａに対応する具体的な構成要素であるため、同じ参照符号を付している。【００５３】
１−３．画像フォーマット
本発明に係る画像処理装置の一例であるデジタルカメラ１００は、Ｅｘｉｆ（Ｅｘｃｈａｎｇｅａｂｌｅ  Ｉｍａｇｅ  Ｆｉｌｅ  Ｆｏｒｍａｔ）フォーマットにしたがい画像ファイルをメモリカード５ｂ上に書き込む。【００５４】
図６は、Ｅｘｉｆフォーマットに準拠した画像ファイル５０の構成を示す概念図である。Ｅｘｉｆフォーマットでは、画像データ（本画像）５２に対してヘッダ部（以下「Ｅｘｉｆヘッダ」という。）５１が付加される。Ｅｘｉｆヘッダ５１には、画像データ（本画像）５２の属性情報５１ａおよびサムネイル画像データ５１ｂが記載される。属性情報５１ａには、撮影日時情報５１ａ−１、撮影モードまたはシーンモードのモード情報５１ａ−２、画像の横のピクセル数および縦のピクセル数のピクセル情報５１ａ−３が含まれる。ピクセル情報５１ａ−３によれば、その画像の縦横比を特定することが可能である。【００５５】
ここで、撮影モードまたはシーンモードは、本発明の撮影モードに相当する。モード情報５１ａ−２は、撮影条件に関する情報の一部である。画像の横のピクセル数、画像の縦のピクセル数は、本発明の画像の縦横比と大きさに関する情報に相当する。【００５６】
図７は、メモリカード５ｂのフォルダ構成を示す概念図である。ルートフォルダ２１は、フォルダ構成の最上位フォルダであり、すべてのフォルダや画像ファイルの記録は、この階層から行われる。ＤＣＩＭ２２は、ＤＣＦ（Ｄｅｓｉｇｎ  ｒｕｌｅ  ｆｏｒ  Ｃａｍｅｒａ  Ｆｉｌｅ  ｓｙｓｔｅｍ）規格によって規定されているフォルダである。１００＿ＰＡＮＡ２３、１０１＿ＰＡＮＡ２５は、画像ファイルを記録するためのフォルダであり、ＤＣＩＭ２２の下の階層に作成される。ＤＣＦ規格によって、フォルダ名は、１００〜９９９までの３桁の数字と５文字の自由文字で構成するよう規定されている。本フォルダ構成例では、３桁の数字として１００、１０１を、５文字の自由文字として＿ＰＡＮＡを使用した例を示している。１００＿ＰＡＮＡ２３の下の階層に記録されたＰ１０００００１．ｊｐｇ〜Ｐ１０００００３．ｊｐｇ２４と１０１＿ＰＡＮＡ２５の下の階層に記録されたＰ１０１０００１．ｊｐｇ２６は、画像ファイルである。ＤＣＦ規格によって、画像ファイルのファイル名は、４文字の自由文字と０００１〜９９９９までの４桁の数字から構成するよう規定されている。本フォルダ構成例では、４文字の自由文字としてＰ１００、Ｐ１０１を、４桁の数字として０００１〜０００３を使用した例を示している。【００５７】
２．動作
以下、本実施形態によるデジタルカメラ１００でリサイズ処理を行うときの動作を説明する。【００５８】
２−１．概要
本実施形態によれば、複数の画像ファイルに対して、一括してリサイズ処理を行うことを可能とする。リサイズ処理とは、撮影した画像ファイルの大きさ（ファイルサイズ）をユーザーが選択した大きさに変更する処理をいう。撮影済みの複数の画像を対象として、一括してリサイズ処理を行うことが可能になるため、ユーザーの操作回数を削減することができる。【００５９】
２−２．設定処理
以下、図８から図１１を参照しながら、本実施形態によるデジタルカメラ１００のリサイズ処理に関する処理を説明する。【００６０】
図８は、リサイズ処理の動作を説明するフローチャートである。以下ではまず、ステップＳ１１からステップＳ１９までの処理を説明する。【００６１】
最初のステップＳ１１は、ユーザーによって「リサイズ」が選択されることにより、制御部７によって実行される。【００６２】
たとえばユーザーがメニューボタン１２４を押下すると、制御部７は画像処理部４に指示してＬＣＤ１５０にメニュー項目を選択する操作画面が表示させる。図９は、メニュー項目を選択する操作画面を示す図である。ユーザーは十字キー１２５ｂ、１２５ｄなど（図１）で「リサイズ」を選択し、十字キー１２５ａで決定する。【００６３】
ユーザーが「リサイズ」を選択し決定すると、画像処理部４はＬＣＤ１５０に処理枚数を選択する操作画面を表示させる。ユーザーは、１枚の画像を対象としてリサイズを行うか、複数の画像を対象としてリサイズを行うかを選択する。図１０は、処理枚数を選択する操作画面を示す図である。ユーザーが十字キー１２５ｂ、１２５ｄで「１枚設定」または「複数設定」を選択し、十字キー１２５ａで決定すると、制御部７はその操作を受け付ける（Ｓ１１）。十字キー１２５ｃを押下することで、メニュー項目を選択する操作画面（図９）に戻ることもできる。【００６４】
「１枚設定」を選択し決定すると（図８のＳ１１で「１枚」）、「プリセット選択」（Ｓ１２）、「画像を１枚設定」（Ｓ１３)と進む。この処理は本発明の説明とは関連しないため、詳細な説明は省略する。【００６５】
一方、「複数設定」を選択し決定すると（図８のＳ１１で「複数枚」）、画像処理部４はＬＣＤ１５０にプリセットを選択する操作画面を表示する。「プリセット」とは、あらかじめ定められた、リサイズ処理後の画像サイズまたはその目安となる画像サイズを示している。【００６６】
図１１は、プリセットを選択する操作画面を示す図である。四つのプリセットが表示されている。各プリセットは、ＲＯＭ４３またはＲＡＭ４２（図５）に保持されていてもよいし、プログラム４６（図５）の中に組み込まれたデータであってもよい。【００６７】
縦横比が異なる画像ファイルがリサイズ処理の対象として含まれている場合に備え、各プリセットでは、異なる縦横比の画像ファイルがリサイズ処理後に同程度のサイズになるように設定されている。【００６８】
図１１に示す例では、各プリセットは、縦横比３：２、４：３、１６：９のそれぞれの画像ファイルが、リサイズ処理後、どの程度のサイズになるかを示している。図１１は、四つのプリセットのうち、一番上のプリセットが選択されている状態を示す。一番上のプリセットを選択することにより、縦横比４：３で撮影された画像ファイルは７Ｍ程度に、縦横比３：２で撮影された画像ファイルは６．５Ｍ程度に、縦横比１６：９で撮影された画像ファイルは６Ｍ程度に、それぞれリサイズ処理される。【００６９】
ユーザーは、十字キー１２５ｂ、１２５ｄを用いて四つのプリセットのうち、いずれか一つを選択し、メニューボタン１２４で決定すると、制御部７はその選択を受け付ける（図８のＳ１４）。十字キー１２５ｃを押下することで、処理枚数を選択する操作画面（図１０）に戻ることもできる。【００７０】
ユーザーがプリセットを選択し決定すると、画像処理部４はＬＣＤ１５０にリサイズ処理対象画像を設定する操作画面を表示し、制御部７はリサイズ処理対象画像の設定を受け付ける（図８のＳ１５）。図１２は、リサイズ処理対象画像を設定する操作画面を示す図である。リサイズ処理の対象となっている画像２に対して、リサイズ処理の対象として設定済みであることを示すアイコン１０１が表示されている。【００７１】
ここで、図１３を参照しながら、リサイズ処理の対象として画像を設定する処理の詳細を説明する。【００７２】
図１３は、「画像を１枚設定する」（Ｓ１５）処理の詳細を示すフローチャートである。制御部７は、画像処理部４に対して、データ格納部５に格納されている６枚分の画像ファイルのＥｘｉｆヘッダから画像の横のピクセル数、画像の縦のピクセル数、サムネイル画像を取得するよう指示し（Ｓ２６）、サムネイル画像をＬＣＤ１５０に表示するよう制御する（Ｓ２７）。【００７３】
次に、ユーザーによって、リサイズ処理の対象とする画像が、ＬＣＤ１５０に表示されたサムネイル画像１〜６の中から十字キー１２５ａ、１２５ｃで選択され、十字キー１２５ｄを用いて入力されると、制御部７はその設定を受け付ける（Ｓ２８）。【００７４】
なお、ユーザーは一度十字キー１２５ｄで設定したリサイズ処理の対象とする画像を、再度十字キー１２５ｄで解除することもできる。また、サムネイル画像１〜６は、十字キー１２５ａ、１２５ｃで順次選択することが可能であるが、サムネイル画像６が選択された状態でさらに十字キー１２５ａを押下すると、制御部７は、画像処理部４に対して、データ格納部５に格納されている新たな６枚分の画像ファイルのＥｘｉｆヘッダから画像の横のピクセル数、画像の縦のピクセル数、サムネイル画像を取得し、サムネイル画像をＬＣＤ１５０に表示するよう制御する。【００７５】
図１３に示す「画像を複数設定する」（Ｓ１５）処理の詳細を示すフローチャートでは、図が煩雑になるのを避けるため、新たな６枚分の画像ファイルのＥｘｉｆヘッダから画像の横のピクセル数、画像の縦のピクセル数、サムネイル画像を取得し、サムネイル画像をＬＣＤ１５０に表示する処理については記載していない。【００７６】
リサイズ処理の対象となる画像が設定されると、制御部７は、設定された画像のサイズが選択されたプリセットにおけるリサイズ処理後のサイズよりも大きいかどうかを調べる（Ｓ２９）。すなわち、制御部７は、Ｅｘｉｆヘッダから取得した画像の横のピクセル数、画像の縦のピクセル数から得られる画像のサイズが、Ｅｘｉｆヘッダから取得した画像の横のピクセル数、画像の縦のピクセル数から得られる画像の縦横比に対するリサイズ処理後のサイズよりも大きいかどうかを調べる。【００７７】
なお、縦横比に限らず、たとえば縦のピクセル数のみ、または、横のピクセル数のみを比較に用いてもよい。【００７８】
設定された画像のサイズが選択されたプリセットにおけるリサイズ処理後のサイズよりも大きいとき（Ｓ２９でＹｅｓ）は、制御部７は画像処理部４に指示して、設定された画像のサムネイル画像に対して、リサイズ処理の対象として設定されていることを示すアイコン１０１を表示する（Ｓ３０）。【００７９】
設定された画像のサイズが選択されたプリセットにおけるリサイズ処理後のサイズに等しいかまたは小さいとき（Ｓ２９でＮｏ）は、制御部７は画像処理部４に指示して、リサイズ処理ができないという警告をＬＣＤ１５０に表示させ（Ｓ３１）、サムネイル画像をＬＣＤ１５０に表示する処理（Ｓ２７）に戻る。【００８０】
図１４は、リサイズ処理ができないという警告が表示された画面例である。なお、図１３には記載していないが、設定された画像のサイズが選択されたプリセットにおけるリサイズ処理後のサイズに等しいかまたは小さいとき以外に、音声付静止画像・動画像・ＲＡＷ画像・縦横比が４：３、３：２、１６：９以外の画像に対してもリサイズ処理ができないという警告をＬＣＤ１５０に表示してもよい。また、設定された画像のサイズが選択されたプリセットにおけるリサイズ処理後のサイズより小さいときは、拡大処理をおこなってもよい。【００８１】
リサイズ処理の対象となる画像が設定され、設定された画像がリサイズ処理ができない画像でないときは、制御部７は設定が終了したかどうかを調べる（Ｓ１６）。すなわち、リサイズ処理対象画像を設定する操作画面（図１２）で、メニューボタン１２４が押下されたとき（Ｓ１６でＹｅｓ）は設定終了であり、メニューボタン１２４が押下されないとき（Ｓ１６でＮｏ）はさらにリサイズ処理の対象となる画像を設定できるよう「画像を１枚設定する」（Ｓ１５）処理に戻る。【００８２】
リサイズ処理の対象となる画像の設定が終了すると、画像処理部４は、操作画面をＬＣＤ１５０に表示する。図１５は、リサイズ処理後に元の画像を削除するかどうかを選択する操作画面例である。ユーザーが、十字キー１２５ｂ、１２５ｄで「はい」または「いいえ」を選択し、メニューボタン１２４で決定することにより、制御部７はその操作を受け付ける（Ｓ１７）。【００８３】
元の画像を削除するとき（Ｓ１７でＹｅｓ）は、制御部７内のレジスタに削除フラグを設定する（Ｓ１８）。一方、元の画像を削除しないとき（Ｓ１７でＮｏ）は、制御部７内のレジスタに削除フラグを設定しない。【００８４】
２−３．リサイズ処理
次に、図８のステップＳ２０以降のリサイズ処理を説明する。【００８５】
リサイズ処理後に元の画像を削除するかどうかの選択が終了すると、制御部７は、削除フラグが設定されているかどうかを調べる（Ｓ１９）。削除フラグが設定されているとき（Ｓ１９でＹｅｓ）は、画像処理部４は、リサイズ処理（Ｓ２０）を行った後に、入出力部５ａを介して元の画像を削除して、リサイズ処理を行った画像に元の画像と同じファイル名をつけて保存する（Ｓ２１）。一方、削除フラグが設定されていないとき（Ｓ１９でＮｏ）は、制御部７は、リサイズ処理（Ｓ２３）後にリサイズ処理を行った画像に元の画像と異なるファイル名をつけて保存する（Ｓ２４）。【００８６】
図７に示すメモリカード５ｂのフォルダ構成を示す概念図において、１００＿ＰＡＮＡ２３の下の階層に記録されたＰ１０００００１．ｊｐｇにリサイズ処理を行って元の画像と異なるファイル名をつけて保存するときは、リサイズ処理を行った画像のファイル名は、たとえばＰ１０００００４．ｊｐｇとなる。【００８７】
本実施形態による画像処理部４は、ピクセルの間引きの後、残された近接ピクセルから新たなピクセルを生成して補間する、というリサイズ処理を行う（Ｓ２０、Ｓ２３）。これにより、画像の破綻を防ぐことが可能になる。間引き処理と補間処理を組み合わせた処理によって、最終的に画像のサイズを小さくするリサイズ処理を行ってもよいし、その他のリサイズ処理を行ってもよい。【００８８】
削除フラグが設定されているかどうかに関わらず、リサイズ処理の対象画像として設定された画像のリサイズ処理がすべて終了するまで、画像処理部４は、リサイズ処理（Ｓ２０、Ｓ２３）と保存処理（Ｓ２１、Ｓ２４）を繰り返す（Ｓ２２、Ｓ２５）。リサイズ処理の対象画像として設定された画像のリサイズ処理がすべて終了するとリサイズ処理を終了する。【００８９】
以上のように、本実施の形態では、縦横比と大きさの異なる複数の画像ファイルを一括してリサイズすることができるので、画像をリサイズする際の操作についてユーザーの利便性を向上させることができる。【００９０】
３．他の実施例
以下、上述した実施形態による処理とは異なる処理の例を説明する。【００９１】
３−１．フォルダ単位でのリサイズ処理
デジタルカメラ１００は、図７に示すメモリカード５ｂのフォルダ構成を示す概念図において、リサイズ処理の対象となる画像をフォルダ単位で設定可能としてもよい。例えば、１００＿ＰＡＮＡ２３を設定すると、１００＿ＰＡＮＡ２３の下の階層に記録されたＰ１０００００１．ｊｐｇ〜Ｐ１０００００３．ｊｐｇ２４をリサイズ処理の対象として設定してもよい。縦横比と大きさの異なる複数の画像ファイルをフォルダ単位でリサイズすることができるので、画像をリサイズする際の操作についてユーザーの利便性をさらに向上させることができる。【００９２】
３−２．撮影モードまたはシーンモード単位でのリサイズ
デジタルカメラ１００は、図６に示すＥｘｉｆフォーマットの画像ファイルの構成を示す概念図において、Ｅｘｉｆヘッダに記載されている撮影モードまたはシーンモード単位でリサイズ処理の対象となる画像を設定可能としてもよい。例えば、ユーザーがポートレートモードを設定すると、デジタルカメラ１００は、ポートレートモードで撮影されたすべての画像をリサイズ処理の対象として設定してもよい。縦横比と大きさの異なる複数の画像ファイルを撮影モードまたはシーンモード単位でリサイズすることができるので、画像をリサイズする際の操作についてユーザーの利便性をさらに向上させることができる。【００９３】
３−３．撮影期間単位でのリサイズ
デジタルカメラ１００は、図６に示すＥｘｉｆフォーマットの画像ファイルの構成を示す概念図において、Ｅｘｉｆヘッダに記載されている撮影日時が所定の期間に含まれる画像をリサイズ処理の対象に設定可能としてもよい。例えば、２００７年８月２１日から２００７年９月７日の期間を設定すると、その期間に撮影されたすべての画像がリサイズ処理の対象となる。【００９４】
３−４．画像の用途に応じたリサイズ
デジタルカメラ１００は、リサイズ後の画像の用途に応じて、画像ごとにリサイズ処理の対象に設定可能としてもよい。【００９５】
図１６（ａ）は、縦横比に応じたリサイズ処理、および、用途に応じたリサイズ処理を選択可能な画面表示例を示す。【００９６】
縦横比に応じたリサイズ処理を選択すると、図１６（ｂ）に示す画面が表示され、これまで説明したとおりの処理が行われる。【００９７】
一方、用途に応じたリサイズ処理を選択すると、図１６（ｃ）に示す画面が表示される。本例では、リサイズ後の画像がプリントに適したサイズになるよう、その画像の大きさが変更される。すなわち、本例によるリサイズ処理は、主として、データサイズではなく画像の表示サイズの変更を目的として行われる。【００９８】
図１６（ｃ）では、Ａ３（または１１ｘ１７’’）プリント用サイズ、Ａ４（または８．５ｘ１１’’）プリント用サイズ、Ｌ／２Ｌ判（１０ｘ１５ｃｍ）プリント用サイズ、Ｅメール添付用サイズ、ＨＤＴＶ表示用サイズにリサイズが可能な例を示している。【００９９】
以上のように、本実施の形態では、縦横比と大きさの異なる複数の画像ファイルを撮影期間単位でリサイズすることができるので、画像をリサイズする際の操作についてユーザーの利便性をさらに向上させることができる。【０１００】
なお、データ格納部５は入出力部５ａと着脱可能なメモリカード５ｂによって構成されていてもよいし、デジタルカメラ１００に内蔵されたメモリＩＣやハードディスクでも構わない。また、本発明は、パーソナルコンピュータなどを画像処理装置として使用するときの画像処理プログラムとしても有用である。【０１０１】
上述の説明では、記憶部５に記憶された画像ファイルに対してリサイズ処理を行う構成としたが、本発明はこれに限定されるものではない。撮影後、記憶部５に記憶される前の画像データに対してリサイズ処理を行う構成としてもよい。画像ファイルのＥｘｉｆヘッダに記載されるべき情報は、撮影後に既知であるので、記憶部５に記憶される前の画像データに対しても本発明のリサイズ処理を行うことができる。【０１０２】
上述の説明では、デジタルカメラの実施形態を説明したが、これは例である。撮像光学系１（図４）を有していない機器であっても、撮影済みの画像データを上述のとおり処理することが可能な機器であれば、本発明の画像処理装置である。たとえば図５に示すハードウェア構成は、一般のＰＣと同等である。したがって、撮影済みの画像のデータに対して上述したリサイズ処理を行うことが可能なＰＣは、本発明の画像処理装置である。
【産業上の利用可能性】
【０１０３】
本発明は、縦横比と大きさの異なる複数の画像ファイルをフォルダ単位でリサイズすることができるので、デジタルカメラやカメラつき携帯電話などの撮像装置、画像ファイルを記録したり閲覧したりできるストレージ機器、メモリカードスロットを備えるテレビなどに適用することができる。また、パーソナルコンピュータなどを画像処理装置として使用するときの画像処理プログラムに適用することができる。
【図１】
2009087962.tif 000003
【図２】
2009087962.tif 000004
【図３】
2009087962.tif 000005
【図４】
2009087962.tif 000006
【図５】
2009087962.tif 000007
【図６】
2009087962.tif 000008
【図７】
2009087962.tif 000009
【図８】
2009087962.tif 000010
【図９】
2009087962.tif 000011
【図１０】
2009087962.tif 000012
【図１１】
2009087962.tif 000013
【図１２】
2009087962.tif 000014
【図１３】
2009087962.tif 000015
【図１４】
2009087962.tif 000016
【図１５】
2009087962.tif 000017
【図１６】
2009087962.tif 000018
【手続補正書】
【提出日】平成21年8月18日(2009.8.18)
【手続補正１】
【補正対象書類名】明細書
【補正対象項目名】全文
【補正方法】変更
【補正の内容】
【発明の詳細な説明】
【技術分野】
【０００１】
本発明は、デジタルカメラ等によって撮影された画像のリサイズ処理に関する。
【背景技術】
【０００２】
近年、急速に普及しているデジタルカメラは、高画質化・高画素化が進むとともに、ユーザーにおける使い勝手を向上させる様々な機能が提案されている。
【０００３】
使い勝手を向上させる機能の一つとして画像のリサイズ機能がある。これは、デジタルカメラで撮影した画像のサイズを撮影後の任意の時点で変更することができる機能である。例えば、３メガ（「メガ」は１００万。単に「Ｍ」とも記述される。）ピクセルのサイズで撮影した画像のファイルを電子メールに添付するために、デジタルカメラの操作で３００キロ（「キロ」は１０００。単に「Ｋ」とも記述される。）ピクセルの画像のファイルにリサイズすることで、その画像ファイルをパーソナルコンピュータの画像編集ソフト等でリサイズする手間を省くことができる。
【０００４】
特許文献１の画像処理装置は、撮像して生成された画像データを処理して完成画像を作成する。この完成画像に基づいて、制御部は被写体の顔エリアを抽出し、顔エリアのサイズに応じた縮小処理を完成画像の画像データに施して画像記録部に出力する。
【先行技術文献】
【特許文献】
【０００５】
【特許文献１】特開２００６−３１８２６０号公報
【発明の概要】
【発明が解決しようとする課題】
【０００６】
しかしながら、特許文献１に開示された画像処理装置は被写体の顔エリアのサイズに応じた縮小処理が可能であるが、複数の画像ファイルを一括してリサイズすることができるとの記載はない。このように、単数の画像しかリサイズできない場合、複数の画像に対してはリサイズ操作を繰り返す必要があり、煩雑な操作を強いられる。
【０００７】
本発明は、上記課題を解決すべくなされたものであり、その目的は、複数の画像ファイルの画像を一括してリサイズすることを可能とし、それにより、操作についてユーザーの利便性を向上させることにある。
【課題を解決するための手段】
【０００８】
本発明による画像処理装置は、複数組のリサイズ条件のうちの１組を、ユーザーの指示に基づいて設定する制御部と、設定された前記１組のリサイズ条件にしたがって、複数の画像の各々に対してリサイズ処理を行う画像処理部とを備えた画像処理装置であって、前記複数組のリサイズ条件の各々には、複数種類の画像の縦横比の各々に対して、リサイズ処理後の画像のサイズが規定されており、前記画像処理部は、リサイズ処理の対象である各画像の縦横比に基づいて、前記１組のリサイズ条件に規定されたリサイズ処理後の画像のサイズを特定し、特定した前記サイズに基づいて前記リサイズ処理を行う。
【０００９】
前記リサイズ処理の対象である各画像の画像データには、各画像の縦横比を特定可能な縦横比情報が含まれており、前記画像処理部は、前記縦横比情報に基づいて各画像の縦横比を特定し、前記１組のリサイズ条件に規定されたリサイズ処理後の画像のサイズを特定してもよい。
【００１０】
前記複数組のリサイズ条件の各々は、互いに、複数種類の画像の縦横比の各々に対応するリサイズ処理後の画像のサイズの組み合わせ方が異なっていてもよい。
【００１１】
前記画像処理装置は、画像を表示する表示装置と、ユーザーによる、前記表示装置に表示された画像を指定する操作を受け付ける操作部とをさらに備え、前記画像処理部は、前記操作部で指定された画像を、前記リサイズ処理の対象となる画像として特定してもよい。
【００１２】
前記リサイズ処理の対象となり得る画像の画像データには、それぞれサムネイル画像のデータが含まれており、前記画像処理装置は、サムネイル画像を表示する表示装置と、ユーザーによる、前記表示装置に表示されたサムネイル画像を指定する操作を受け付ける操作部とをさらに備え、前記画像処理部は、前記操作部で指定されたサムネイル画像に対応する画像を、前記リサイズ処理の対象となる画像として特定してもよい。
【００１３】
前記画像処理装置は、前記ユーザーによる操作を受け付ける操作部と、前記複数の画像の各画像データを少なくとも１つのフォルダに格納した記憶部とをさらに備え、前記画像処理部は、前記操作部で受け付けられた操作によって予め指示されたフォルダに格納された各画像データの画像に対して、リサイズ処理を行ってもよい。
【００１４】
前記画像処理装置は、前記ユーザーによる操作を受け付ける操作部と、前記複数の画像の各画像データを格納した記憶部とをさらに備え、各画像の画像データには、前記各画像の撮影時の条件を示す撮影条件情報が含まれており、前記画像処理部は、前記操作部で受け付けられた操作によって予め特定された撮影条件情報に合致する各画像データの画像に対して、リサイズ処理を行ってもよい。
【００１５】
前記画像処理装置は、前記ユーザーによる操作を受け付ける操作部をさらに備え、前記画像処理部は、前記操作部で受け付けられた操作によって予め特定された撮影期間に合致する各画像データの画像に対して、リサイズ処理を行ってもよい。
【００１６】
前記記憶部は、着脱可能な記録媒体を含んでいてもよい。
【発明の効果】
【００１７】
本発明によれば、選択し記憶された縦横比と大きさの異なる複数の画像ファイルを一括してリサイズすることができるので、画像をリサイズする際の操作についてユーザーの利便性を向上させることができる。
【図面の簡単な説明】
【００１８】
【図１】本発明に係る画像処理装置の一例であるデジタルカメラの構成を示す。
【図２】モードダイアル１２０の上面図である。
【図３】画像の各縦横比において選択可能な画像の縦のピクセル数、画像の横のピクセル数を示す図である。
【図４】本実施形態によるデジタルカメラ１００のブロック図である。
【図５】信号処理回路４０のハードウェア構成の一例を示す。
【図６】Ｅｘｉｆフォーマットに準拠した画像ファイル５０の構成を示す概念図である。
【図７】メモリカード５ｂのフォルダ構成を示す概念図である。
【図８】リサイズ処理の動作を説明するフローチャートである。
【図９】メニュー項目を選択する操作画面を示す図である。
【図１０】処理枚数を選択する操作画面を示す図である。
【図１１】プリセットを選択する操作画面を示す図である。
【図１２】リサイズ処理対象画像を設定する操作画面を示す図である。
【図１３】画像を１枚設定する（図８のＳ１５）処理の詳細を示すフローチャートである。
【図１４】リサイズ処理ができないという警告が表示された画面例である。
【図１５】リサイズ処理後に元の画像を削除するかどうかを選択する操作画面例である。
【図１６】（ａ）は、縦横比に応じたリサイズ処理、および、用途に応じたリサイズ処理を選択可能な画面表示例を示す図であり、（ｂ）は縦横比に応じたリサイズ処理を選択したときに表示される画面例を示す図であり、（ｃ）は用途に応じたリサイズ処理を選択したときに表示される画面例を示す図である。
【発明を実施するための形態】
【００１９】
以下、添付の図面を参照しながら、本発明の実施形態を説明する。
【００２０】
まず、実施形態の説明で言及する用語の意味は以下のとおりとする。
【００２１】
サイズ：画像データのデータ量（データサイズ）や、画像の横のピクセル数および縦のピクセル数によって定まる表示領域の大きさ（表示サイズ）を含む。実施形態では「サイズ」は「データサイズ」を意味するとして説明する。表示サイズを意味する場合には、たとえば「画像のサイズ」や「表示サイズ」などと表現する。
【００２２】
なお、一般には、画像の横のピクセル数および／または縦のピクセル数（表示サイズ）が変化すれば、それに伴ってデータサイズも変化する。よって、データサイズと表示サイズとの間には密接に関係がある。「サイズ」がデータサイズを意味するものとして取り扱うのは便宜的なものであることに留意されたい。
【００２３】
画像の縦横比：画像の横のピクセル数と縦のピクセル数との比をいう。たとえば縦横比４：３とは、画像の横のピクセル数：縦のピクセル数＝４：３であることを意味する。
【００２４】
以下、本発明の実施形態による画像処理装置を説明する。
【００２５】
本実施形態においては、画像処理装置はデジタルカメラであるとする。以下、デジタルカメラの構成を説明する。なお、デジタルカメラは一例である。後に、画像処理装置の他の構成例を説明する。
【００２６】
１．構成
１−１．外観の構成
図１は、本発明に係る画像処理装置の一例であるデジタルカメラの構成を示す。より具体的には、図１はデジタルカメラの背面を示している。
【００２７】
デジタルカメラ１００の背面には、電源スイッチ１２２、メニューボタン１２４、十字キー１２５ａ、１２５ｂ、１２５ｃ、１２５ｄ、液晶表示装置（Ｌｉｑｕｉｄ  Ｃｒｙｓｔａｌ  Ｄｉｓｐｌａｙ；ＬＣＤ）１５０が設けられている。また、デジタルカメラ１００の上面には、モードダイアル１２０、シャッターボタン１２１が設けられている。
【００２８】
図２は、モードダイアル１２０の上面図である。モーダイアル１２０の上面には、撮影モードとシーンモードを示す複数のアイコン１２０ａ〜１２０ｌが表示されている。ユーザーは、モードダイアル１２０を回転させることで所望の撮影モードまたはシーンモードを選択することができる。図２の例では、アイコン１２０ａに対応するモードが選択されている。
【００２９】
モードダイアル１２０の上面のアイコン１２０ａ〜１２０ｌがどのようなモードであるかを概略的に説明する。
【００３０】
アイコン１２０ａは全自動モードを示し、アイコン１２０ｂはプログラムモードを示し、アイコン１２０ｃは絞り優先モードを示し、アイコン１２０ｄはシャッター速度優先モードを示し、アイコン１２０ｅはマニュアルモードを示している。アイコン１２０ｆはユーザーが好みの設定を保存できるカスタムモードを示している。アイコン１２０ｇは、後述の「各シーンモード以外の撮影モード」をＬＣＤ１５０に表示し、メニューボタン１２４、十字キー１２５ａ、１２５ｂ、１２５ｃおよび／または１２５ｄにて選択可能とするシーンモードを示している。そして、アイコン１２０ｈは夜景・人物モード、アイコン１２０ｉはスポーツモード、アイコン１２０ｊは接写撮影を可能とするマクロモード、アイコン１２０ｋは風景撮影のための風景モード、アイコン１２０ｌは人物撮影のためのポートレートモードを示す。
【００３１】
本実施形態によるデジタルカメラ１００は、上述した「各シーンモード以外の撮影モード」として、全自動モード、プログラムモード、絞り優先モード、シャッター速度優先モード、マニュアルモード、カスタムモードを有する。また、シーンモードとして、モードダイアル１２０から直接選択可能な夜景・人物モード、スポーツモード、マクロモード、風景モード、ポートレートモードの他に、モードダイアル１２０のシーンモードアイコン１２０ｇを選択することによって、さらにその後、ＬＣＤ１５０に表示されメニューボタン１２４、十字キー１２５ａ、１２５ｂ、１２５ｃ、１２５ｄにて選択可能となる赤ちゃんモード、パーティモードなどのシーンモードを有する。
【００３２】
電源スイッチ１２２をＯＮ側にスライドすると、デジタルカメラ１００の電源が投入される。モードダイアル１２０を回転させて、所望の撮影モードまたはシーンモードを選択する。ＬＣＤ１５０に被写体が表示されるので、これを観察しながら構図を決定する。シャッターボタン１２１を押下すると、被写体の画像が画像ファイルとして記録される。
【００３３】
画像ファイルのヘッダには、撮影日時、モードダイアル１２０で選択された撮影モードまたはシーンモード、画像の横のピクセル数、画像の縦のピクセル数が記載される。詳細は、後に図６を参照しながら説明する。
【００３４】
ユーザーがメニューボタン１２４を押下することで、ＬＣＤ１５０に操作画面が表示される。この操作画面において、ユーザーは、撮影する画像の縦横比と画像の横のピクセル数、画像の縦のピクセル数を、メニューボタン１２４、十字キー１２５ａ、１２５ｂ、１２５ｃ、１２５ｄを操作することにより、選択することができる。本発明に係る画像処理装置の一例であるデジタルカメラ１００では、画像の縦横比として、４：３、３：２，１６：９のいずれか一つを選択することができる。
【００３５】
図３は、画像の各縦横比において選択可能な画像の縦のピクセル数、画像の横のピクセル数を示す図である。図３（ａ）は画像の縦横比が４：３のときに選択可能な画像のサイズと画像の縦のピクセル数、画像の横のピクセル数を示す。図３（ｂ）は画像の縦横比が３：２のときに選択可能な画像のサイズと画像の縦のピクセル数、画像の横のピクセル数を示す。図３（ｃ）は画像の縦横比が１６：９のときに選択可能な画像のサイズと画像の縦のピクセル数、画像の横のピクセル数を示す。例えば、画像の縦横比が４：３のときに、サイズ１０Ｍで撮影された画像の横のピクセル数は３６４８であり、縦のピクセル数は２７３６である。なお、サイズ１０Ｍとは、撮影された画像の総ピクセル数が約１０００００００ピクセルとなることを示している。上記の例では、３６４８×２７３６＝９９８０９２８（ピクセル）となる。
【００３６】
１−２．ブロック構成
図４は、本実施形態によるデジタルカメラ１００のブロック図である。
【００３７】
デジタルカメラ１００は、撮像光学系１と、ＣＣＤ２と、Ａ／Ｄ変換器３と、信号処理回路４０と、ＬＣＤ１５０とを有している。
【００３８】
撮像光学系１は、被写体の光学像を形成する。ＣＣＤ２は、撮像光学系１で形成された光学像を電気信号に変換する。Ａ／Ｄ変換器３は、ＣＣＤ２で変換された電気信号（アナログ信号）をデジタル信号に変換する。
【００３９】
信号処理回路４０は、Ａ／Ｄ変換器３からのデジタル信号を受け取り、また、デジタルカメラ１００に設けられたボタンやキーを介してユーザーからの指示を受け取る。そして、その指示に基づいて、デジタル信号を処理する。たとえば信号処理回路４０は、画像のデジタル信号を処理して、処理によって得られた画像データを画像ファイルとしてメモリカード５ｂに書き込む。
【００４０】
ＬＣＤ１５０は、信号処理回路４０で生成された画像データに基づく画像を表示し、また、操作メニューや選択された項目などを表示する。
【００４１】
信号処理回路４０は、画像処理部４と、入出力部５ａと、操作部６と、制御部７とを備えている。
【００４２】
画像処理部４は、Ａ／Ｄ変換器３で変換されたデジタル信号に対して所定の信号処理を行い画像データを生成する。
【００４３】
入出力部５ａは、たとえば画像処理部４で生成された画像データをメモリカード５ｂに書き込む。また、入出力部５ａは、メモリカード５ｂから画像データを読み出すことも可能である。なお、メモリカード５ｂはデジタルカメラ１００から着脱可能であり、デジタルカメラ１００自体の構成要素でなくてもよい。ただし本明細書においては、入出力部５ａおよびメモリカード５ｂを「記憶部５」と呼ぶこともある。記憶部５は、画像処理部４で生成された画像データを記憶する。
【００４４】
操作部６は、デジタルカメラ１００に与えられる指示をユーザーから受け取る。操作部６は、図１に示したデジタルカメラ１００の背面図において、メニューボタン１２４、十字キー１２５ａ、１２５ｂ、１２５ｃ、１２５ｄに対応する。
【００４５】
制御部７は、操作部６から与えられた指示にしたがって画像処理部４を制御する。
【００４６】
なお、Ａ／Ｄ変換器３は、ＣＣＤ２で変換された電気信号（アナログ信号）に所定の信号処理を行うＡＦＥ（Ａｎａｌｏｇ  Ｆｌｏｎｔ  Ｅｎｄ）ＬＳＩ（図示せず）内に組み込まれていてもよい。または、信号処理回路４０に組み込まれてもよい。
【００４７】
画像処理部４と制御部７は、単一のＬＳＩで構成してもよい。
【００４８】
信号処理回路４０を一般的なコンピュータシステムによって実現することも可能である。
【００４９】
たとえば図５は、信号処理回路４０のハードウェア構成の一例を示す。
【００５０】
信号処理回路４０は、ＣＰＵ４１と、ＲＡＭ４２と、ＲＯＭ４３と、１または複数のボタン／キー６と、画像処理回路４５と、メモリカードコントローラ５ａとを有している。これらは互いにバス４６で接続されており、相互に情報を授受できる。
【００５１】
ＣＰＵ４１は、ＲＯＭ４３に格納されているコンピュータプログラム４６をＲＡＭ４２に読み出し、ＲＡＭ４２上に展開して実行する。信号処理回路４０のみならずデジタルカメラ１００は、このコンピュータプログラム４６にしたがって、後述の処理を行う。なお、ＲＯＭ４３は書き換え可能なＲＯＭ（たとえばＥＥＰＲＯＭ）であってもよい。コンピュータプログラム４６は、ＣＰＵ４１に実行されることにより、たとえば後述の図８および１３に示される処理手順でＣＰＵ４１を動作させる。
【００５２】
画像処理回路４５は、ＬＣＤ１５０上に表示される画像のデータを生成する。なお、メモリカードコントローラ５ａは、先の入出力部５ａに対応する具体的な構成要素であるため、同じ参照符号を付している。
【００５３】
１−３．画像フォーマット
本発明に係る画像処理装置の一例であるデジタルカメラ１００は、Ｅｘｉｆ（Ｅｘｃｈａｎｇｅａｂｌｅ  Ｉｍａｇｅ  Ｆｉｌｅ  Ｆｏｒｍａｔ）フォーマットにしたがい画像ファイルをメモリカード５ｂ上に書き込む。
【００５４】
図６は、Ｅｘｉｆフォーマットに準拠した画像ファイル５０の構成を示す概念図である。Ｅｘｉｆフォーマットでは、画像データ（本画像）５２に対してヘッダ部（以下「Ｅｘｉｆヘッダ」という。）５１が付加される。Ｅｘｉｆヘッダ５１には、画像データ（本画像）５２の属性情報５１ａおよびサムネイル画像データ５１ｂが記載される。属性情報５１ａには、撮影日時情報５１ａ−１、撮影モードまたはシーンモードのモード情報５１ａ−２、画像の横のピクセル数および縦のピクセル数のピクセル情報５１ａ−３が含まれる。ピクセル情報５１ａ−３によれば、その画像の縦横比を特定することが可能である。
【００５５】
ここで、撮影モードまたはシーンモードは、本発明の撮影モードに相当する。モード情報５１ａ−２は、撮影条件に関する情報の一部である。画像の横のピクセル数、画像の縦のピクセル数は、本発明の画像の縦横比と大きさに関する情報に相当する。
【００５６】
図７は、メモリカード５ｂのフォルダ構成を示す概念図である。ルートフォルダ２１は、フォルダ構成の最上位フォルダであり、すべてのフォルダや画像ファイルの記録は、この階層から行われる。ＤＣＩＭ２２は、ＤＣＦ（Ｄｅｓｉｇｎ  ｒｕｌｅ  ｆｏｒ  Ｃａｍｅｒａ  Ｆｉｌｅ  ｓｙｓｔｅｍ）規格によって規定されているフォルダである。１００＿ＰＡＮＡ２３、１０１＿ＰＡＮＡ２５は、画像ファイルを記録するためのフォルダであり、ＤＣＩＭ２２の下の階層に作成される。ＤＣＦ規格によって、フォルダ名は、１００〜９９９までの３桁の数字と５文字の自由文字で構成するよう規定されている。本フォルダ構成例では、３桁の数字として１００、１０１を、５文字の自由文字として＿ＰＡＮＡを使用した例を示している。１００＿ＰＡＮＡ２３の下の階層に記録されたＰ１０００００１．ｊｐｇ〜Ｐ１０００００３．ｊｐｇ２４と１０１＿ＰＡＮＡ２５の下の階層に記録されたＰ１０１０００１．ｊｐｇ２６は、画像ファイルである。ＤＣＦ規格によって、画像ファイルのファイル名は、４文字の自由文字と０００１〜９９９９までの４桁の数字から構成するよう規定されている。本フォルダ構成例では、４文字の自由文字としてＰ１００、Ｐ１０１を、４桁の数字として０００１〜０００３を使用した例を示している。
【００５７】
２．動作
以下、本実施形態によるデジタルカメラ１００でリサイズ処理を行うときの動作を説明する。
【００５８】
２−１．概要
本実施形態によれば、複数の画像ファイルに対して、一括してリサイズ処理を行うことを可能とする。リサイズ処理とは、撮影した画像ファイルの大きさ（ファイルサイズ）をユーザーが選択した大きさに変更する処理をいう。撮影済みの複数の画像を対象として、一括してリサイズ処理を行うことが可能になるため、ユーザーの操作回数を削減することができる。
【００５９】
２−２．設定処理
以下、図８から図１１を参照しながら、本実施形態によるデジタルカメラ１００のリサイズ処理に関する処理を説明する。
【００６０】
図８は、リサイズ処理の動作を説明するフローチャートである。以下ではまず、ステップＳ１１からステップＳ１９までの処理を説明する。
【００６１】
最初のステップＳ１１は、ユーザーによって「リサイズ」が選択されることにより、制御部７によって実行される。
【００６２】
たとえばユーザーがメニューボタン１２４を押下すると、制御部７は画像処理部４に指示してＬＣＤ１５０にメニュー項目を選択する操作画面が表示させる。図９は、メニュー項目を選択する操作画面を示す図である。ユーザーは十字キー１２５ｂ、１２５ｄなど（図１）で「リサイズ」を選択し、十字キー１２５ａで決定する。
【００６３】
ユーザーが「リサイズ」を選択し決定すると、画像処理部４はＬＣＤ１５０に処理枚数を選択する操作画面を表示させる。ユーザーは、１枚の画像を対象としてリサイズを行うか、複数の画像を対象としてリサイズを行うかを選択する。図１０は、処理枚数を選択する操作画面を示す図である。ユーザーが十字キー１２５ｂ、１２５ｄで「１枚設定」または「複数設定」を選択し、十字キー１２５ａで決定すると、制御部７はその操作を受け付ける（Ｓ１１）。十字キー１２５ｃを押下することで、メニュー項目を選択する操作画面（図９）に戻ることもできる。
【００６４】
「１枚設定」を選択し決定すると（図８のＳ１１で「１枚」）、「プリセット選択」（Ｓ１２）、「画像を１枚設定」（Ｓ１３)と進む。この処理は本発明の説明とは関連しないため、詳細な説明は省略する。
【００６５】
一方、「複数設定」を選択し決定すると（図８のＳ１１で「複数枚」）、画像処理部４はＬＣＤ１５０にプリセットを選択する操作画面を表示する。「プリセット」とは、あらかじめ定められた、リサイズ処理後の画像サイズまたはその目安となる画像サイズを示している。
【００６６】
図１１は、プリセットを選択する操作画面を示す図である。四つのプリセットが表示されている。各プリセットは、ＲＯＭ４３またはＲＡＭ４２（図５）に保持されていてもよいし、プログラム４６（図５）の中に組み込まれたデータであってもよい。
【００６７】
縦横比が異なる画像ファイルがリサイズ処理の対象として含まれている場合に備え、各プリセットでは、異なる縦横比の画像ファイルがリサイズ処理後に同程度のサイズになるように設定されている。
【００６８】
図１１に示す例では、各プリセットは、縦横比３：２、４：３、１６：９のそれぞれの画像ファイルが、リサイズ処理後、どの程度のサイズになるかを示している。図１１は、四つのプリセットのうち、一番上のプリセットが選択されている状態を示す。一番上のプリセットを選択することにより、縦横比４：３で撮影された画像ファイルは７Ｍ程度に、縦横比３：２で撮影された画像ファイルは６．５Ｍ程度に、縦横比１６：９で撮影された画像ファイルは６Ｍ程度に、それぞれリサイズ処理される。
【００６９】
ユーザーは、十字キー１２５ｂ、１２５ｄを用いて四つのプリセットのうち、いずれか一つを選択し、メニューボタン１２４で決定すると、制御部７はその選択を受け付ける（図８のＳ１４）。十字キー１２５ｃを押下することで、処理枚数を選択する操作画面（図１０）に戻ることもできる。
【００７０】
ユーザーがプリセットを選択し決定すると、画像処理部４はＬＣＤ１５０にリサイズ処理対象画像を設定する操作画面を表示し、制御部７はリサイズ処理対象画像の設定を受け付ける（図８のＳ１５）。図１２は、リサイズ処理対象画像を設定する操作画面を示す図である。リサイズ処理の対象となっている画像２に対して、リサイズ処理の対象として設定済みであることを示すアイコン１０１が表示されている。
【００７１】
ここで、図１３を参照しながら、リサイズ処理の対象として画像を設定する処理の詳細を説明する。
【００７２】
図１３は、「画像を１枚設定する」（Ｓ１５）処理の詳細を示すフローチャートである。制御部７は、画像処理部４に対して、データ格納部５に格納されている６枚分の画像ファイルのＥｘｉｆヘッダから画像の横のピクセル数、画像の縦のピクセル数、サムネイル画像を取得するよう指示し（Ｓ２６）、サムネイル画像をＬＣＤ１５０に表示するよう制御する（Ｓ２７）。
【００７３】
次に、ユーザーによって、リサイズ処理の対象とする画像が、ＬＣＤ１５０に表示されたサムネイル画像１〜６の中から十字キー１２５ａ、１２５ｃで選択され、十字キー１２５ｄを用いて入力されると、制御部７はその設定を受け付ける（Ｓ２８）。
【００７４】
なお、ユーザーは一度十字キー１２５ｄで設定したリサイズ処理の対象とする画像を、再度十字キー１２５ｄで解除することもできる。また、サムネイル画像１〜６は、十字キー１２５ａ、１２５ｃで順次選択することが可能であるが、サムネイル画像６が選択された状態でさらに十字キー１２５ａを押下すると、制御部７は、画像処理部４に対して、データ格納部５に格納されている新たな６枚分の画像ファイルのＥｘｉｆヘッダから画像の横のピクセル数、画像の縦のピクセル数、サムネイル画像を取得し、サムネイル画像をＬＣＤ１５０に表示するよう制御する。
【００７５】
図１３に示す「画像を複数設定する」（Ｓ１５）処理の詳細を示すフローチャートでは、図が煩雑になるのを避けるため、新たな６枚分の画像ファイルのＥｘｉｆヘッダから画像の横のピクセル数、画像の縦のピクセル数、サムネイル画像を取得し、サムネイル画像をＬＣＤ１５０に表示する処理については記載していない。
【００７６】
リサイズ処理の対象となる画像が設定されると、制御部７は、設定された画像のサイズが選択されたプリセットにおけるリサイズ処理後のサイズよりも大きいかどうかを調べる（Ｓ２９）。すなわち、制御部７は、Ｅｘｉｆヘッダから取得した画像の横のピクセル数、画像の縦のピクセル数から得られる画像のサイズが、Ｅｘｉｆヘッダから取得した画像の横のピクセル数、画像の縦のピクセル数から得られる画像の縦横比に対するリサイズ処理後のサイズよりも大きいかどうかを調べる。
【００７７】
なお、縦横比に限らず、たとえば縦のピクセル数のみ、または、横のピクセル数のみを比較に用いてもよい。
【００７８】
設定された画像のサイズが選択されたプリセットにおけるリサイズ処理後のサイズよりも大きいとき（Ｓ２９でＹｅｓ）は、制御部７は画像処理部４に指示して、設定された画像のサムネイル画像に対して、リサイズ処理の対象として設定されていることを示すアイコン１０１を表示する（Ｓ３０）。
【００７９】
設定された画像のサイズが選択されたプリセットにおけるリサイズ処理後のサイズに等しいかまたは小さいとき（Ｓ２９でＮｏ）は、制御部７は画像処理部４に指示して、リサイズ処理ができないという警告をＬＣＤ１５０に表示させ（Ｓ３１）、サムネイル画像をＬＣＤ１５０に表示する処理（Ｓ２７）に戻る。
【００８０】
図１４は、リサイズ処理ができないという警告が表示された画面例である。なお、図１３には記載していないが、設定された画像のサイズが選択されたプリセットにおけるリサイズ処理後のサイズに等しいかまたは小さいとき以外に、音声付静止画像・動画像・ＲＡＷ画像・縦横比が４：３、３：２、１６：９以外の画像に対してもリサイズ処理ができないという警告をＬＣＤ１５０に表示してもよい。また、設定された画像のサイズが選択されたプリセットにおけるリサイズ処理後のサイズより小さいときは、拡大処理をおこなってもよい。
【００８１】
リサイズ処理の対象となる画像が設定され、設定された画像がリサイズ処理ができない画像でないときは、制御部７は設定が終了したかどうかを調べる（Ｓ１６）。すなわち、リサイズ処理対象画像を設定する操作画面（図１２）で、メニューボタン１２４が押下されたとき（Ｓ１６でＹｅｓ）は設定終了であり、メニューボタン１２４が押下されないとき（Ｓ１６でＮｏ）はさらにリサイズ処理の対象となる画像を設定できるよう「画像を１枚設定する」（Ｓ１５）処理に戻る。
【００８２】
リサイズ処理の対象となる画像の設定が終了すると、画像処理部４は、操作画面をＬＣＤ１５０に表示する。図１５は、リサイズ処理後に元の画像を削除するかどうかを選択する操作画面例である。ユーザーが、十字キー１２５ｂ、１２５ｄで「はい」または「いいえ」を選択し、メニューボタン１２４で決定することにより、制御部７はその操作を受け付ける（Ｓ１７）。
【００８３】
元の画像を削除するとき（Ｓ１７でＹｅｓ）は、制御部７内のレジスタに削除フラグを設定する（Ｓ１８）。一方、元の画像を削除しないとき（Ｓ１７でＮｏ）は、制御部７内のレジスタに削除フラグを設定しない。
【００８４】
２−３．リサイズ処理
次に、図８のステップＳ２０以降のリサイズ処理を説明する。
【００８５】
リサイズ処理後に元の画像を削除するかどうかの選択が終了すると、制御部７は、削除フラグが設定されているかどうかを調べる（Ｓ１９）。削除フラグが設定されているとき（Ｓ１９でＹｅｓ）は、画像処理部４は、リサイズ処理（Ｓ２０）を行った後に、入出力部５ａを介して元の画像を削除して、リサイズ処理を行った画像に元の画像と同じファイル名をつけて保存する（Ｓ２１）。一方、削除フラグが設定されていないとき（Ｓ１９でＮｏ）は、制御部７は、リサイズ処理（Ｓ２３）後にリサイズ処理を行った画像に元の画像と異なるファイル名をつけて保存する（Ｓ２４）。
【００８６】
図７に示すメモリカード５ｂのフォルダ構成を示す概念図において、１００＿ＰＡＮＡ２３の下の階層に記録されたＰ１０００００１．ｊｐｇにリサイズ処理を行って元の画像と異なるファイル名をつけて保存するときは、リサイズ処理を行った画像のファイル名は、たとえばＰ１０００００４．ｊｐｇとなる。
【００８７】
本実施形態による画像処理部４は、ピクセルの間引きの後、残された近接ピクセルから新たなピクセルを生成して補間する、というリサイズ処理を行う（Ｓ２０、Ｓ２３）。これにより、画像の破綻を防ぐことが可能になる。間引き処理と補間処理を組み合わせた処理によって、最終的に画像のサイズを小さくするリサイズ処理を行ってもよいし、その他のリサイズ処理を行ってもよい。
【００８８】
削除フラグが設定されているかどうかに関わらず、リサイズ処理の対象画像として設定された画像のリサイズ処理がすべて終了するまで、画像処理部４は、リサイズ処理（Ｓ２０、Ｓ２３）と保存処理（Ｓ２１、Ｓ２４）を繰り返す（Ｓ２２、Ｓ２５）。リサイズ処理の対象画像として設定された画像のリサイズ処理がすべて終了するとリサイズ処理を終了する。
【００８９】
以上のように、本実施の形態では、縦横比と大きさの異なる複数の画像ファイルを一括してリサイズすることができるので、画像をリサイズする際の操作についてユーザーの利便性を向上させることができる。
【００９０】
３．他の実施例
以下、上述した実施形態による処理とは異なる処理の例を説明する。
【００９１】
３−１．フォルダ単位でのリサイズ処理
デジタルカメラ１００は、図７に示すメモリカード５ｂのフォルダ構成を示す概念図において、リサイズ処理の対象となる画像をフォルダ単位で設定可能としてもよい。例えば、１００＿ＰＡＮＡ２３を設定すると、１００＿ＰＡＮＡ２３の下の階層に記録されたＰ１０００００１．ｊｐｇ〜Ｐ１０００００３．ｊｐｇ２４をリサイズ処理の対象として設定してもよい。縦横比と大きさの異なる複数の画像ファイルをフォルダ単位でリサイズすることができるので、画像をリサイズする際の操作についてユーザーの利便性をさらに向上させることができる。
【００９２】
３−２．撮影モードまたはシーンモード単位でのリサイズ
デジタルカメラ１００は、図６に示すＥｘｉｆフォーマットの画像ファイルの構成を示す概念図において、Ｅｘｉｆヘッダに記載されている撮影モードまたはシーンモード単位でリサイズ処理の対象となる画像を設定可能としてもよい。例えば、ユーザーがポートレートモードを設定すると、デジタルカメラ１００は、ポートレートモードで撮影されたすべての画像をリサイズ処理の対象として設定してもよい。縦横比と大きさの異なる複数の画像ファイルを撮影モードまたはシーンモード単位でリサイズすることができるので、画像をリサイズする際の操作についてユーザーの利便性をさらに向上させることができる。
【００９３】
３−３．撮影期間単位でのリサイズ
デジタルカメラ１００は、図６に示すＥｘｉｆフォーマットの画像ファイルの構成を示す概念図において、Ｅｘｉｆヘッダに記載されている撮影日時が所定の期間に含まれる画像をリサイズ処理の対象に設定可能としてもよい。例えば、２００７年８月２１日から２００７年９月７日の期間を設定すると、その期間に撮影されたすべての画像がリサイズ処理の対象となる。
【００９４】
３−４．画像の用途に応じたリサイズ
デジタルカメラ１００は、リサイズ後の画像の用途に応じて、画像ごとにリサイズ処理の対象に設定可能としてもよい。
【００９５】
図１６（ａ）は、縦横比に応じたリサイズ処理、および、用途に応じたリサイズ処理を選択可能な画面表示例を示す。
【００９６】
縦横比に応じたリサイズ処理を選択すると、図１６（ｂ）に示す画面が表示され、これまで説明したとおりの処理が行われる。
【００９７】
一方、用途に応じたリサイズ処理を選択すると、図１６（ｃ）に示す画面が表示される。本例では、リサイズ後の画像がプリントに適したサイズになるよう、その画像の大きさが変更される。すなわち、本例によるリサイズ処理は、主として、データサイズではなく画像の表示サイズの変更を目的として行われる。
【００９８】
図１６（ｃ）では、Ａ３（または１１ｘ１７’’）プリント用サイズ、Ａ４（または８．５ｘ１１’’）プリント用サイズ、Ｌ／２Ｌ判（１０ｘ１５ｃｍ）プリント用サイズ、Ｅメール添付用サイズ、ＨＤＴＶ表示用サイズにリサイズが可能な例を示している。
【００９９】
以上のように、本実施の形態では、縦横比と大きさの異なる複数の画像ファイルを撮影期間単位でリサイズすることができるので、画像をリサイズする際の操作についてユーザーの利便性をさらに向上させることができる。
【０１００】
なお、データ格納部５は入出力部５ａと着脱可能なメモリカード５ｂによって構成されていてもよいし、デジタルカメラ１００に内蔵されたメモリＩＣやハードディスクでも構わない。また、本発明は、パーソナルコンピュータなどを画像処理装置として使用するときの画像処理プログラムとしても有用である。
【０１０１】
上述の説明では、記憶部５に記憶された画像ファイルに対してリサイズ処理を行う構成としたが、本発明はこれに限定されるものではない。撮影後、記憶部５に記憶される前の画像データに対してリサイズ処理を行う構成としてもよい。画像ファイルのＥｘｉｆヘッダに記載されるべき情報は、撮影後に既知であるので、記憶部５に記憶される前の画像データに対しても本発明のリサイズ処理を行うことができる。
【０１０２】
上述の説明では、デジタルカメラの実施形態を説明したが、これは例である。撮像光学系１（図４）を有していない機器であっても、撮影済みの画像データを上述のとおり処理することが可能な機器であれば、本発明の画像処理装置である。たとえば図５に示すハードウェア構成は、一般のＰＣと同等である。したがって、撮影済みの画像のデータに対して上述したリサイズ処理を行うことが可能なＰＣは、本発明の画像処理装置である。
【産業上の利用可能性】
【０１０３】
本発明は、縦横比と大きさの異なる複数の画像ファイルをフォルダ単位でリサイズすることができるので、デジタルカメラやカメラつき携帯電話などの撮像装置、画像ファイルを記録したり閲覧したりできるストレージ機器、メモリカードスロットを備えるテレビなどに適用することができる。また、パーソナルコンピュータなどを画像処理装置として使用するときの画像処理プログラムに適用することができる。
【符号の説明】
【０１０４】
１  レンズ
２  ＣＣＤ
３  ＡＤ変換器
４  画像処理部
５  記憶部５
５ａ  入出力部
５ｂ  メモリカード
６  操作部
７  制御部
４０  信号処理回路
１５０  ＬＣＤ
【手続補正２】
【補正対象書類名】特許請求の範囲
【補正対象項目名】全文
【補正方法】変更
【補正の内容】
【特許請求の範囲】
【請求項１】
複数組のリサイズ条件のうちの１組を、ユーザーの指示に基づいて設定する制御部と、
設定された前記１組のリサイズ条件にしたがって、複数の画像の各々に対してリサイズ処理を行う画像処理部と
を備えた画像処理装置であって、
前記複数組のリサイズ条件の各々には、複数種類の画像の縦横比の各々に対して、リサイズ処理後の画像のサイズが規定されており、
前記画像処理部は、リサイズ処理の対象である各画像の縦横比に基づいて、前記１組のリサイズ条件に規定されたリサイズ処理後の画像のサイズを特定し、特定した前記サイズに基づいて前記リサイズ処理を行う、画像処理装置。
【請求項２】
前記リサイズ処理の対象である各画像の画像データには、各画像の縦横比を特定可能な縦横比情報が含まれており、
前記画像処理部は、前記縦横比情報に基づいて各画像の縦横比を特定し、前記１組のリサイズ条件に規定されたリサイズ処理後の画像のサイズを特定する、請求項１に記載の画像処理装置。
【請求項３】
前記複数組のリサイズ条件の各々は、互いに、複数種類の画像の縦横比の各々に対応するリサイズ処理後の画像のサイズの組み合わせ方が異なる、請求項１に記載の画像処理装置。
【請求項４】
画像を表示する表示装置と、
ユーザーによる、前記表示装置に表示された画像を指定する操作を受け付ける操作部と
をさらに備え、
前記画像処理部は、前記操作部で指定された画像を、前記リサイズ処理の対象となる画像として特定する、請求項１に記載の画像処理装置。
【請求項５】
前記リサイズ処理の対象となり得る画像の画像データには、それぞれサムネイル画像のデータが含まれており、
サムネイル画像を表示する表示装置と、
ユーザーによる、前記表示装置に表示されたサムネイル画像を指定する操作を受け付ける操作部と
をさらに備え、
前記画像処理部は、前記操作部で指定されたサムネイル画像に対応する画像を、前記リサイズ処理の対象となる画像として特定する、請求項１に記載の画像処理装置。
【請求項６】
前記ユーザーによる操作を受け付ける操作部と、
前記複数の画像の各画像データを少なくとも１つのフォルダに格納した記憶部とをさらに備え、
前記画像処理部は、前記操作部で受け付けられた操作によって予め指示されたフォルダに格納された各画像データの画像に対して、リサイズ処理を行う、請求項１に記載の画像処理装置。
【請求項７】
前記ユーザーによる操作を受け付ける操作部と、
前記複数の画像の各画像データを格納した記憶部とをさらに備え、
各画像の画像データには、前記各画像の撮影時の条件を示す撮影条件情報が含まれており、
前記画像処理部は、前記操作部で受け付けられた操作によって予め特定された撮影条件情報に合致する各画像データの画像に対して、リサイズ処理を行う、請求項１に記載の画像処理装置。
【請求項８】
前記ユーザーによる操作を受け付ける操作部をさらに備え、
前記画像処理部は、前記操作部で受け付けられた操作によって予め特定された撮影期間に合致する各画像データの画像に対して、リサイズ処理を行う、請求項１に記載の画像処理装置。
【請求項９】
前記記憶部は、着脱可能な記録媒体を含む、請求項６に記載の画像処理装置。
【請求項１０】
前記記憶部は、着脱可能な記録媒体を含む、請求項７に記載の画像処理装置。
【手続補正３】
【補正対象書類名】図面
【補正対象項目名】全図
【補正方法】変更
【補正の内容】
【図１】
2009087962.tif 000019
【図２】
2009087962.tif 000020
【図３】
2009087962.tif 000021
【図４】
2009087962.tif 000022
【図５】
2009087962.tif 000023
【図６】
2009087962.tif 000024
【図７】
2009087962.tif 000025
【図８】
2009087962.tif 000026
【図９】
2009087962.tif 000027
【図１０】
2009087962.tif 000028
【図１１】
2009087962.tif 000029
【図１２】
2009087962.tif 000030
【図１３】
2009087962.tif 000031
【図１４】
2009087962.tif 000032
【図１５】
2009087962.tif 000033
【図１６】
2009087962.tif 000034
【国際調査報告】
2009087962.tif 000035
2009087962.tif 000036
2009087962.tif 000037
2009087962.tif 000038